(57)【特許請求の範囲】
【請求項１】
圃場を耕耘する耕耘部（１１）の後方を覆うリヤカバー（１５）の下端側に取り付けられる整地カバー（３０）であって、圃場に接地する整地面（ａ）を有するカバー本体部（３３）と、リヤカバー（１５）の下端側に覆い被さる覆い部（３４）とを備えた整地カバーにおいて、
パイプ材を加工することにより、カバー本体部（３３）を中空状に形成すると共に該カバー本体部（３３）と覆い部（３４）とを一体形成したことを特徴とする整地カバー。
【請求項２】
覆い部（３４）の下面側とカバー本体部（３３）の前面側とが連続曲面で連接されていることを特徴とする請求項１に記載の整地カバー。
【請求項３】
覆い部（３４）の上面側とカバー本体部（３３）の上面側とが連続曲面で連接されていることを特徴とする請求項１又は２に記載の整地カバー。
【請求項４】
カバー本体部（３３）の下面側が整地面（ａ）とされ、該カバー本体部（３３）の上壁（３３Ａ）が側面視で内側から外側に向けて凸となる湾曲状に形成されていることを特徴とする請求項１〜３のいずれかに記載の整地カバー。
【発明の詳細な説明】
【技術分野】
【０００１】
本発明は、ロータリ耕耘機のロータリカバーに備えられる整地カバーに関するものである。
【背景技術】
【０００２】
ロータリ耕耘機の耕耘部を覆うロータリカバーは、耕耘部の上方を覆う上部カバーと、耕耘部の後方を覆うリヤカバーとを備え、このリヤカバーの後下端に整地カバーが着脱自在に取り付けられる。
この整地カバーとして、該整地カバーの主要部分が、圃場に接地して整地する整地面を有するカバー本体部と、このカバー本体部の前部に備えられていてリヤカバーの下端側に覆い被さる覆い部とを板金によって一体形成して構成されているものが特許文献１に開示されている。
【０００３】
この特許文献１に記載の整地カバーの主要部分を詳細に説明すると、前側に覆い部が設けられ、後側に該整地カバー主要部分を構成する板材を下側から上側に向けて弧状に折り返されたループ部を有し、これら覆い部とループ部との間が上方側に開放状の溝状となるように形成されている。
そして、この特許文献１に示す整地カバーにあっては、覆い部とループ部との間の溝状部分に泥土が堆積し、整地を適正に行うことが困難になることがあるため、整地カバー主要部分の上面側に溝状部分を埋めるための土侵入防止部材を設けている。
【特許文献１】特開２００６−７５１６９号公報
【発明の開示】
【発明が解決しようとする課題】
【０００４】
前記土侵入防止部材を設けた整地カバーにあっては、部品点数が多く、コスト高になっている。
そこで、本発明は、カバー本体部と覆い部とを備え且つカバー本体部上に泥が詰まらないと共に部品点数が少なく安価に製作することができる整地カバーを提供することを目的とする。
【課題を解決するための手段】
【０００５】
本発明が前記目的を達成するために講じた技術的手段は、圃場を耕耘する耕耘部の後方を覆うリヤカバーの下端側に取り付けられる整地カバーであって、圃場に接地する整地面を有するカバー本体部と、リヤカバーの下端側に覆い被さる覆い部とを備えた整地カバーにおいて、
パイプ材を加工することにより、カバー本体部を中空状に形成すると共に該カバー本体部と覆い部とを一体形成したことを特徴とする。
また、覆い部の下面側とカバー本体部の前面側とが連続曲面で連接されているのがよい。
【０００６】
また、覆い部の上面側とカバー本体部の上面側とが連続曲面で連接されているのがよい。
また、カバー本体部の下面側が整地面とされ、該カバー本体部の上壁部が側面視で内側から外側に向けて凸となる湾曲状に形成されているのがよい。
【発明の効果】
【０００７】
本発明によれば、整地カバーのカバー本体部と覆い部とを、パイプ材を加工することにより一体形成してなるので、カバー本体部と覆い部とを備え且つカバー本体部上に泥が詰まらない整地カバーを安価に製作することができる。
【発明を実施するための最良の形態】
【０００８】
以下、本発明の実施の形態を図面に基づいて説明する。
図２において、１は、トラクタの後部に三点リンク機構を介して昇降自在に装着されるロータリ耕耘機である。
このロータリ耕耘機１は、中央のギヤケース２から左右にサポートアーム３を突設し、左側のサポートアーム３の外端側に伝動ケース４の上部を固定すると共に、右側のサポートアーム３の外端側にサイドフレームの上部を固定して門型に構成された機枠５を有する。
【０００９】
この機枠５のギヤケース２には前後に二股形状のトップマスト６が上方突出状に固定され、このトップマスト６の前部６ａの上部には、三点リンク機構のトップリンクの後端側又は三点リンク機構の後端側に連結される連結枠の上部に取り付けられる上部取付部７が設けられている。
また、左右各サポートアーム３には、三点リンク機構のロワーリンクの後端側又は三点リンク機構の後端側に連結される連結枠の下部に取り付けられる取付ブラケット８が設けられている。
【００１０】
前記機枠５の下部には、伝動ケース４とサイドフレームとの下部間に爪軸９が回転自在に支持され、この爪軸９に取り付けられた多数の耕耘爪１０によって耕耘部１１が形成され、この耕耘部１１の爪軸９を、例えば、図２の矢示Ａ方向に回転駆動させて耕耘爪１０を圃場に突入させることにより、該圃場が耕耘部１１によって耕耘されるように構成されている。
ロータリ耕耘機１には前記耕耘部１１を覆うロータリカバー１３が設けられており、このロータリカバー１３は、耕耘部１１の上方を覆う上部カバー１４と、耕耘部１１の後方を覆うリヤカバー１５と、耕耘部１１の後部の左右両側を覆うサイドカバー１６とを備えている。
【００１１】
上部カバー１４は、その左右方向の端部が、伝動ケース４とサイドフレームとにそれぞれ固定された側板２５に取付固定され、サイドカバー１６も伝動ケース４又はサイドフレーム等に取り付けられている。
リヤカバー１５は、上端側が上部カバー１４の後端側（機枠５側）に、左右方向の軸心を有する支軸１７の軸心回りに回動自在に枢支されており、このリヤカバー１５の後下部に、圃場を整地する整地カバー装置１９が着脱自在に取り付けられている。
機枠５には、左右のゲージ輪２０を取り付ける支持フレーム２１が上下揺動自在に支持されており、この支持フレーム２１とトップマスト６の後部６ｂの上部との間には、支持フレーム２１の上下揺動位置を調節すべく伸縮自在な高さ調整機構２２が設けられている。
【００１２】
前記ロータリ耕耘機１にあっては、機枠５とリヤカバー１５とに亘って左右一対の弾下手段２３が設けられており、この弾下手段２３でリヤカバー１５の下端側を下方側（接地方向）に付勢している。
図１〜４において、前記リヤカバー１５は金属製の板材によって形成され、該リヤカバー１５の下端側はリヤカバー１５を構成する板材を折り返すことによりループ状に形成されていて、該ループ状部分が、整地カバー装置１９を取り外したときに圃場に接地する整地部１５ａとされている。
【００１３】
この整地部１５ａの後端側は円弧状に形成され、該整地部１５ａの後部内には補強用のパイプ材１５ｂが左右方向に挿入されて固着されている。
なお、このリヤカバー１５の整地部１５ａの左右両側には閉塞板１５ｃが固着され、該閉塞板１５ｃによって、整地部１５ａ内に泥土が入らないように、整地部１５ａの左右両側が閉塞されている。
このリヤカバー１５の背面には、リヤカバー１５の上部から下部にわたる補強部材２６が左右一対設けられ、この左右各補強部材２６の下部にそれぞれ係止部材２４が設けられている。
【００１４】
この左右の各係止部材２４は、前記補強部材２６に固定された底壁２４ａと、該底壁２４ａの左右両側から後方側に延出された左右の側壁２４ｂとを有し、左右の側壁２４ｂの上部側には係合部２７が前後一対設けられ、左右の側壁２４ｂの下部には位置決め部２８が前後一対設けられている。
前後の係合部２７は、上方側に向けて開放状とされた溝から形成され、底部側は側面視円弧状に形成され、前後の位置決め部２８は、左右方向の軸心を有する丸棒材によって構成され、左右の側壁２４ｂ間に亘って設けられている。
【００１５】
前記整地カバー装置１９は、リヤカバー１５の左右幅に略相当する左右幅に形成された整地カバー３０と、この整地カバー３０をリヤカバー１５に着脱自在に装着するための装着部材３１及びロック部材４２と、整地カバー３０から左右方向外方に延出する延長整地カバー３２とを備えている。
整地カバー３０は、左右両側が開口した中空状のカバー本体部３３と、このカバー本体部３３の前端側上部から前方側に延出されていてリヤカバー１５の整地部１５ａの後端側に覆い被さる覆い部３４と、カバー本体部３３の左右両側の開口を塞ぐ側板３５とを備えており、カバー本体部３３及び覆い部３４とがリヤカバー１５の左右幅に略相当する左右幅に形成されている。
【００１６】
前記カバー本体部３３は、リヤカバー１５下端側の整地部１５ａの後方に配置され、側面視において前後に長い扁平状に形成されている。
カバー本体部３３の上壁３３Ａは、側面視で上方側に向けて凸となる（内側から外側に向けて凸となる）大きい曲率の円弧形状に湾曲形成され、カバー本体部３３の下壁３３Ｂは、側面視で下方側に向けて凸となる大きい曲率の円弧形状に湾曲形成され、該下壁３３Ｂの下面が圃場に接地して整地する整地面ａとされている。
また、カバー本体部３３の前壁３３Ｃは下壁３３Ｂの前端側から上方側に延出され、後壁３３Ｄは後方に向けて凸となる円弧状に形成されていて上壁３３Ａと下壁３３Ｂの後端同志を連結している。
【００１７】
覆い部３４は、カバー本体部３３の上壁３３Ａの前端側から延出された上壁部３４Ａと、カバー本体部３３の下壁３３Ｂの前端側から延出された下壁部３４Ｂとを有し、これら上壁部３４Ａと下壁部３４Ｂとは相互に密着されていると共に上壁部３４Ａと下壁部３４Ｂの延出端同志が連結されている。
また、覆い部３４は、リヤカバー１５の整地部１５ａ後端側の円弧形状に沿う湾曲状に形成されていると共に、リヤカバー１５の整地部１５ａの後端側上方を覆うように該整地部１５ａに近接配置されていて、リヤカバー１５の整地部１５ａとカバー本体部３３の前壁３３Ｃとの間を通って下方から上方に泥土が抜けるのを防止している。
【００１８】
また、覆い部３４の下面側とカバー本体部３３の前面側とは連続曲面で連接されており、リヤカバー１５の整地部１５ａ後端側に沿わせるように近接配置することができるよう構成されている。
また、覆い部３４の上面側とカバー本体部３３の上面側とは連続曲面で連接されていて、整地カバー３０の上面に泥土を溜めてしまう障害物がなく、整地カバー３０上に泥土が載っても整地カバー３０を傾けるだけで容易に排土することができる。
この整地カバー３０のカバー本体部３３と覆い部３４とは、金属製のパイプ材をプレス工法（プレス加工）又は引抜き工法（引抜き加工）等により異形加工することにより形成されていて、カバー本体部３３と覆い部３４とがパイプ材によって一体形成されている。
【００１９】
このように整地カバー３０のカバー本体部３３をパイプ材によって中空状に形成することにより、従来のように整地カバーのカバー本体部の上面側の溝状部分を埋めるための土侵入防止部材を設ける場合に比べて、部品点数が少なく、安価に形成することができる整地カバー３０を提供することができ、しかも、パイプ材を加工することにより、カバー本体部３３と覆い部３４とが同時に形成されるので、例えば、カバー本体部をパイプ材によって中空状に形成し、覆い部をカバー本体部とは別個に形成してカバー本体部に溶接によって固着する場合に比べて、覆い部を溶接する手間や、カバー本体部と覆い部とを別々に形成するという手間などがなくなり、製作効率がよく、また、洗浄もし易い。
【００２０】
これらカバー本体部３３及び覆い部３４をプレス加工によって形成する場合は、例えば、図５に示すように、断面円形の素材パイプ６６を楕円状にプレスし、その後、この楕円状成形品６７をプレスしてカバー本体部３３と覆い部３４とを成形することにより行われる。
側板３５は、板材によってカバー本体部３３及び覆い部３４の側面視形状に略沿った外形状に形成され、カバー本体部３３及び覆い部３４を成形した後に、カバー本体部３３及び覆い部３４の左右方向端部側に溶接固定される。
【００２１】
前記構成の整地カバー３０にあっては、例えば、カバー本体部３３の上壁３３Ａが平板状に形成されていると、該上壁３３Ａを上から踏みつけた場合に、該上壁３３Ａが下方に向けて凸となるように湾曲して反り返り、覆い部３４がリヤカバー１５の整地部１５ａ後端側から離れるように変形して、覆い部３４とリヤカバー１５後端側との間の隙間が大きくなることとなるが、本実施の形態では、カバー本体部３３の上壁３３Ａが上方側に向けて湾曲する湾曲状に形成されているので（上壁３３Ａは前後が低く前後方向中央側が高い中高状に形成されているので）、該上壁３３Ａを上から踏みつけた場合に、該上壁３３Ａは平板状となるように変形して、覆い部３４がリヤカバー１５の整地部１５ａに近接する方向に変形するので、カバー本体部３３の上壁３３Ａを上から踏みつけた場合であっても、覆い部３４がリヤカバー１５後端側との間の隙間が大きくなることはなく、むしろ縮まることとなる。
【００２２】
前記装着部材３１はカバー本体部３３の上面に接合されており、この装着部材３１の後端より後方へカバー本体部３３の後端面が突出されている。
この装着部材３１は一対の開口部３７を打ち抜き形成した金属板を、一対の開口部３７の間で屈曲してコ字状にプレス加工したものであり、左右側壁３８及び上壁３９を有し、その左右側壁３８の下縁が整地カバー３０のカバー本体部３３の上面に溶着されている。
この装着部材３１の開口部３７の上縁側は、該開口部３７を形成していることにより、整地カバー１９を持ち運びするときの把持部４０となっている。
【００２３】
この装着部材３１は整地カバー３０の上面に直接的に接合されていて、ボルト締結ではないので、整地カバー３０及び装着部材３１に締結構造を作る必要がなく、両者を構成する部品点数が少なく且つ製作・加工が簡単にできる。
前記整地カバー１９の装着部材３１は前部に、左右側壁３８から延設された装着部４１が形成され、この装着部４１にロック部材４２が設けられている。
装着部４１はリヤカバー１５の係止部材２４に挿入可能な左右幅に形成されており、前部側上部には係止部材２４の係合部２７に上方側から係脱自在に係合する丸棒材製の被係合部４３が設けられ、装着部４１の前部側下部には係止部材２４の位置決め部２８に後方側から係合するフック形状の被位置決め部４４が形成され、この被位置決め部４４より後方側に切欠４５が形成されている。
【００２４】
前記ロック部材４２は、装着部４１の上部側に貫通された支軸４６を介して左右方向の軸心廻りに回動自在に支持された枢支部４７と、この枢支部４７に接続部４８を介して接続されたレバー部４９と、枢支部５０から前方側に延設されていて被位置決め部４４とで位置決め部２８を挟持する（掴む）フック状のロック部５０とを有する。
前記ロック部材４２は、コイルバネ５１によってロック方向（図１反時計方向）に付勢されており、この付勢力により支軸４６回りに回動することにより、ロック部５０と被位置決め部４４とで位置決め部２８を挟持するロック位置に保持でき、コイルバネ５１のバネ力に抗して回動すると、ロック部５０が位置決め部２８から離反したロック状態解除の位置、即ち、非ロック位置に位置変更される。
【００２５】
本実施の形態では、整地カバー３０は、装着部材３１の被係合部４３を係止部材２４の前側の係合部２７に係合し且つ被位置決め部４４を前側の位置決め部２８に係合した状態（図１，３参照）と、装着部材３１の被係合部４３を係止部材２４の後側の係合部２７に係合し且つ被位置決め部４４を後側の位置決め部２８に係合した状態とに取付状態が変更可能とされている。
なお、装着部材３１の被係合部４３を係止部材２４の前側の係合部２７に係合し且つ被位置決め部４４を前側の位置決め部２８に係合した状態では、切欠４５は後側位置決め部２８との干渉を回避している。
【００２６】
本実施の形態にあっては、通常の深さのロータリ耕（標準耕耘作業）よりも深い耕耘（深耕し）を行う場合は整地カバー装置１９を外してリヤカバー１５のみで使用し、標準耕耘作業を行う場合は被係合部４３を前側の係合部２７に係合した状態で整地カバー３０を位置決めして使用し、標準耕耘作業よりも浅い耕耘（浅耕し）又は代掻き作業を行う場合は被係合部４３を後側の係合部２７に係合した状態で整地カバー３０を位置決めして使用する。
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００２７】
例えば、ロック部材４２を設ける代わりに、整地カバー１９を位置決めした後に、係止部材２４と装着部４１とにわたってピンを貫通することによって、整地カバー１９をリヤカバー１５に装着するようにしてもよい。
前記延長整地カバー３２は、整地カバー３０から左右方向外方に突出する延長姿勢（図４の状態）と、この延長姿勢から整地カバー３０の上方側に位置する不使用姿勢に姿勢変更自在に整地カバー３０に連結され、且つ延長姿勢では延長姿勢へと回動する方向に付勢されている。
【００２８】
この延長整地カバー３２は、主要部分３２Ａが、前記整地カバー３０のカバー本体部３３及び覆い部３４と同一材料でかつ側面視略同一形状に形成され、且つこの延長整地カバー３２の主要部分は整地カバー３０のカバー本体部３３及び覆い部３４と同様に金属製のパイプ材を加工することにより一体形成されており、延長整地カバー３２の主要部分３２Ａの左右両端側に、整地カバー３０の側板３５と同様の側板３５が接合されている。すなわち、延長整地カバー３２は、左右幅が異なる他は整地カバー３０と略同様に形成されている。
【００２９】
また、この延長整地カバー３２は、前記トップマスト６の後部６ｂに取り付けられた支持ブラケット５３に揺動操作自在に支持された操作レバー５４の揺動操作によって、延長姿勢と不使用姿勢とに姿勢変更操作可能とされており、この操作レバー５４は、ロータリ耕耘機１を上昇させることにより、トラクタの運転席側から把持可能とされており、これによって、延長整地カバー３２がトラクタの運転席側から遠隔操作可能とされている。
本実施の形態におけるロータリ耕耘機１にあっては、図６〜図８に示すように、サイドフレーム５６側（ロータリカバー１３右側）の側板２５の前部に棒材からなるスタンド５７が着脱自在に取り付けられている。
【００３０】
ロータリカバー１３右側の側板２５の前部には、前後の壁部５８ａ，５８ｂと、これら前後の壁部５８ａ，５８ｂを連結すると共に側板２５の外側面に固着された連結壁５８ｃとからコ字形に形成された第１のスタンド取付部材５８が設けられている。
この第１のスタンド取付部材５８は上方に行くに従って後方に移行する傾斜状として配置されている。
スタンド５７は、その上部（基部）５７ａが第１のスタンド取付部材５８の前後壁部５８ａ，５８ｂ間に挿入され、前後壁部５８ａ，５８ｂにそれぞれ貫通状に形成された上下一対の挿通孔５９と、スタンド５７の上部５７ａに径方向貫通状に形成された上下一対の第１の挿通孔６０とにわたってピン等を挿通することにより、スタンド５７が第１のスタンド取付部材５８に取り付けられるよう構成されている。
【００３１】
スタンド５７は、該スタンド５７の上部５７ａが第１のスタンド取付部材５８に取り付けられた状態で、下端側が接地して、トラクタから切り離されたロータリ耕耘機１を自立させる。
また、このスタンド使用姿勢において、スタンド５７の上部５７ａは第１のスタンド取付部材５８と一致した後傾状で、中途部５７ｂは上部５７ａよりも傾斜角度の大きい後傾状で、下部（先端側）５７ｃは中途部５７ｂよりも傾斜角度の大きい後傾状となるように屈曲されている。
【００３２】
また、ロータリ耕耘機１の使用時にあっては、スタンド５７は上下反転させて、第１のスタンド取付部材５８に取り付けることにより、図６（ａ）に仮想線で示すように、スタンド不使用姿勢に保持することができる。
また、サイドフレーム５６の上部の外側面には、第２のスタンド取付部材６１が設けられている。
この第２のスタンド取付部材６１は、上部がサイドフレーム５６にボルト固定された側壁６１ａと、この側壁６１ａの下端側から左右方向外方に延出する下壁６１ｂと、この下壁６１ｂの上方側に間隔をおいて配置され且つ側壁６１ａの上下方向中途部に固着された上壁６１ｃとを備えている。
【００３３】
スタンド５７の基部５７ａには、第１の挿通孔６０の軸心に直交する方向と平行な軸心を有する第２の挿通孔６２が一対貫通形成され、第２のスタンド取付部材６１の上下壁６１ｃ，６１ｂには、上下方向に貫通する挿通孔６３が前後一対形成されている。
したがって、図７（ｂ）に示すように、スタンド５７を該スタンド５７の先端が左右方向内方側を向く状態にして、スタンド５７の基部５７ａを、第２のスタンド取付部材６１の上下壁６１ｃ，６１ｂ間に挿入すると、スタンド５７の第２の挿通孔６２と、第２のスタンド取付部材６１の上下壁６１ｃ，６１ｂの挿通孔６３との軸心が一致可能となり、これら挿通孔６２，６３にピン等を挿通することにより、スタンド５７が不使用時にロータリ耕耘機１のガードとして使用可能とされている。
【００３４】
この場合においては、スタンド５７は基部側５７ａが略前後方向に沿い、中途部５７ｂが前方に向かうに従って左右方向内方に移行する傾斜状となり、先端側５７ｃが中途部５７ｂよりもさらに前方に向かうに従って左右方向内方に移行する傾斜状となる。
このスタンド５７をロータリ耕耘機１のガードとして使用する場合としては、主に、ロータリ耕耘機１を、農作物等を栽培するハウス内で使用する場合が考えられる。
ハウス内でロータリ耕耘機１を使用する場合は、伝動ケース４側よりもサイドフレーム側５６の方がハウスの内側に近づけることができるので、ロータリ耕耘機１をハウスの内側に近接させて耕耘等をするが、この場合サイドフレーム５６をハウスの内側に近づけ過ぎるとサイドフレーム５６がハウスの支柱に引っ掛かることがあるが、スタンド５７をガードとして使用することにより、ロータリ耕耘機１のサイドフレーム５６側をハウスの内側に近づけ過ぎても、スタンド５７がハウスの支柱に接当してこれを押すことにより、サイドフレーム５６でハウスの支柱を引っ掛ける惧れがなく、ロータリ耕耘機１をハウスの内側にぎりぎりまで近づけることができる。
【００３５】
本実施の形態では、スタンド５７をガードとして利用できるように構成することにより、ロータリ耕耘機１のガードとスタンドとを別個に形成する場合に比べてコスト面でのメリットがある。
なお、第２のスタンド取付部材６１には、上下壁６１ｃ，６１ｂ間に、スタンド５７の基部５７ａを取り付けたときに該スタンド５７の基部５７ａに沿う規制壁６４を設けるのが好ましい。
【図面の簡単な説明】
【００３６】
【図１】本発明の要部の拡大断面側面図である。
【図２】ロータリ耕耘機の全体側面図である。
【図３】リヤカバー及び整地カバー装置の側面図である。
【図４】リヤカバー下端側及び整地カバー装置の背面図である。
【図５】整地カバーの製造過程を示す端面図である。
【図６】スタンドをスタンドとして使用した場合の側面図である。
【図７】スタンドをガード部材として使用した場合の側面図である。
【図８】（ａ）は第１のスタンド取付部材にスタンドを取り付けた場合の側面断面図、（ｂ）は（ａ）のＸ−Ｘ線矢示断面、（ｃ）は第２のスタンド取付部材にスタンドを取り付けた場合の側面断面図、（ｄ）は第２のスタンド取付部材にスタンドを取り付けた場合の正面図である。
【符号の説明】
【００３７】
１１    耕耘部
１５    リヤカバー
３０    整地カバー
３３    カバー本体部
３４    覆い部
３３Ａ  上壁
ａ    整地面
【図１】
0004866305.tif 000002
【図２】
0004866305.tif 000003
【図３】
0004866305.tif 000004
【図４】
0004866305.tif 000005
【図５】
0004866305.tif 000006
【図６】
0004866305.tif 000007
【図７】
0004866305.tif 000008
【図８】
0004866305.tif 000009